(57)【要約】【課題】通年で空間の温度変化を緩和し、結果的に、他の暖房装置および他の冷房装置で利用するエネルギーを低減させ、省エネルギーに寄与させる。【解決手段】第１の蓄熱体１および第２の蓄熱体２は、室内空間８を区切る床面２１になる主表面を備え、内部に通気される空気との熱交換を行って蓄えた熱を主表面を通して室内空間に伝達する。第１の蓄熱体１の潜熱蓄熱材は、第２の蓄熱体２の潜熱蓄熱材よりも相変化温度の低い材料が選択される。第１の蓄熱体１は冬季に日射が照射される領域に配置され、第２の蓄熱体２は夏季に日射が照射されない領域に配置される。制御装置６は、主表面から日射熱で前記第１の蓄熱体に蓄熱された温熱を日射を受けない時間帯に前記空間に放出させる状態と、空間外の空気を第２の蓄熱体２に通気して蓄冷する流路を形成する状態と、第２の蓄熱体２に蓄冷された冷熱を空間に放出させる状態とを切り替える。【選択図】図１
2014194327.tif 000002
【特許請求の範囲】
【請求項１】
着目する空間を区切る床面と壁面との少なくとも一部になる主表面を備え、内部に蓄えた熱を前記主表面を通して前記空間に伝達する第１の蓄熱体および第２の蓄熱体と、
前記第１の蓄熱体および前記第２の蓄熱体の内部に通気する空気の流路を切り替えるように制御する制御装置とを備え、
前記第１の蓄熱体および前記第２の蓄熱体は、
前記空間が使用される温度範囲において相変化が生じる潜熱蓄熱材を備え、
かつ前記第１の蓄熱体に用いられる前記潜熱蓄熱材は、相変化温度が、前記第２の蓄熱体に用いられる前記潜熱蓄熱材よりも低い材料が選択され、
前記第１の蓄熱体は冬季に日射が照射される領域に配置され、前記第２の蓄熱体は夏季に日射が照射されない領域に配置され、
前記制御装置は、
前記主表面から日射熱で前記第１の蓄熱体に蓄熱された温熱を日射を受けない時間帯に前記空間に放出させる状態と、前記空間外の空気を前記第２の蓄熱体に通気して蓄冷する流路を形成する状態と、前記第２の蓄熱体に蓄冷された冷熱を前記空間に放出させる状態とを切り替える
冷暖房装置。
【請求項２】
前記第１の蓄熱体に用いられる前記潜熱蓄熱材は、相変化温度が、冬季の夜間における前記空間の気温より高く、かつ冬季の日中において前記第１の蓄熱体の前記主平面が日射を受けている状態の最高温度より低い材料であって、
前記第２の蓄熱体に用いられる前記潜熱蓄熱材は、相変化温度が、夏季の日中における前記空間の気温より低く、かつ夏季の夜間における外気温の最低温度より高い材料である
請求項１記載の冷暖房装置。
【請求項３】
前記第１の蓄熱体に用いられる前記潜熱蓄熱材は、相変化温度が、使用地域の冬季における月ごとの最高気温の平年値に関する代表値から求められた材料であり、
前記第２の蓄熱体に用いられる前記潜熱蓄熱材は、相変化温度が、使用地域の夏季における月ごとの最低気温の平年値に関する代表値から求められた材料である
請求項１記載の冷暖房装置。
【請求項４】
前記第１の蓄熱体および前記第２の蓄熱体は、それぞれ内部に通気するための２個ずつの通気口を備え、
前記制御装置は、
前記第１の蓄熱体の一方の前記通気口に接続された第１のバルブと、前記第２の蓄熱体の一方の前記通気口に接続された第２のバルブと、前記第１の蓄熱体の他方の前記通気口と前記第２の蓄熱体の他方の前記通気口との間に接続された第３のバルブと、前記第１のバルブと前記第２のバルブと前記第３のバルブとに通気路を通して接続された通気ファンとを制御対象とし、
前記第１のバルブと前記第２のバルブと前記第３のバルブとは３ポートを備え、
前記第１のバルブは、前記第１の蓄熱体を前記通気路に接続する状態と、前記第１の蓄熱体の内部に通気された空気を排出する状態とを選択し、
前記第２のバルブは、前記第２の蓄熱体を前記通気路に接続する状態と、前記第２の蓄熱体の内部に通気された空気を排出する状態とを選択し、
前記第３のバルブは、前記第１の蓄熱体と前記第２の蓄熱体との間で通気させる状態と、前記第２の蓄熱体を前記通気路に接続する状態とを選択する
請求項１〜３のいずれか１項に記載の冷暖房装置。
【請求項５】
前記第１の蓄熱体および前記第２の蓄熱体は、
外殻を形成する容器と、
前記容器の中に詰め込まれる複数個の蓄熱エレメントとを備え、
前記蓄熱エレメントは、互いに接触した状態で空気の流通する間隙が生じる形状に形成されたカプセルに前記潜熱蓄熱材が封入された構成である
請求項１〜４のいずれか１項に記載の冷暖房装置。
【請求項６】
前記第１の蓄熱体と前記第２の蓄熱体との少なくとも一方を、強制的に加熱または冷却する補助熱源をさらに備え、
前記制御装置は、
冬季の日中において、前記第１の蓄熱体に用いている前記潜熱蓄熱材が相変化温度を超えない場合と、夏季の夜間において、前記第２の蓄熱体に用いている前記潜熱蓄熱材が相変化温度を下回らない場合との少なくとも一方において、前記補助熱源を動作させる
請求項１〜５のいずれか１項に記載の冷暖房装置。
【請求項７】
前記補助熱源は、
前記第１の蓄熱体と前記第２の蓄熱体との少なくとも一方を加熱するヒータと、
地中熱と熱交換した空気を前記第１の蓄熱体と前記第２の蓄熱体との少なくとも一方の内部に通気させるクールチューブとから選択される
請求項１〜６のいずれか１項に記載の冷暖房装置。
【請求項８】
前記空間における人の存否および位置を検出する人センサをさらに備え、
前記制御装置は、
冬季には、前記人センサが検出した前記人の位置が、前記第１の蓄熱体よりも前記第２の蓄熱体に近い場合に、前記第１の蓄熱体と前記第２の蓄熱体との間の熱移動を行い、前記人センサが検出した前記人の位置が、前記第２の蓄熱体よりも前記第１の蓄熱体に近い場合に、前記第１の蓄熱体と前記第２の蓄熱体との間の熱移動を行わなわず、
夏季には、前記人センサが検出した前記人の位置が、前記第２の蓄熱体よりも前記第１の蓄熱体に近い場合に、前記第１の蓄熱体と前記第２の蓄熱体との間の熱移動を行い、前記人センサが検出した前記人の位置が、前記第１の蓄熱体よりも前記第２の蓄熱体に近い場合に、前記第１の蓄熱体と前記第２の蓄熱体との間の熱移動を行わなわないように、
前記第１の蓄熱体と前記第２の蓄熱体とに通気する空気の流路を切り替える
請求項１〜７のいずれか１項に記載の冷暖房装置。
【発明の詳細な説明】
【技術分野】
【０００１】
本発明は、潜熱蓄熱材を用いて蓄熱する冷暖房装置に関する。
【背景技術】
【０００２】
従来から、日中あるいは夜間に蓄熱し、蓄熱した熱エネルギーを蓄熱時とは異なる時間帯に利用するために潜熱蓄熱材を用いる技術が提案されている（たとえば、特許文献１、２参照）。
【０００３】
特許文献１に記載された技術は、床暖房を行うために潜熱蓄熱材を利用しており、温水が通る温水パイプの上下に、相変化温度が異なる潜熱蓄熱材が配置されている。温水パイプの上に配置された潜熱蓄熱材（以下、「第１の蓄熱材」という）は、温水パイプの下に配置された潜熱蓄熱材（以下、第２の蓄熱材」という）よりも相変化温度が低く設定されている。第１の潜熱蓄熱材は日射熱で融解する材料が用いられ、第２の蓄熱材は、温水パイプに通す温水で溶解する材料が用いられている。特許文献１に記載された例では、第１の蓄熱材の相変化温度は２０℃程度であり、第２の蓄熱材の相変化温度は３０℃程度に設定されている。
【０００４】
特許文献１に記載された構成では、昼間の日射熱を第１の蓄熱材に蓄熱することによって日没から放熱させることが記載されている。また、電力の単価が日中よりも安い深夜電力などを利用して第２の蓄熱材に蓄熱することによって、日中には第２の蓄熱材から放熱させることが記載されている。
【０００５】
また、特許文献２に記載された技術は、床暖房を行うために相変化温度の異なる潜熱蓄熱材を利用している。すなわち、相変化温度が高い潜熱蓄熱材を用いた第１の床材と、相変化温度の低い潜熱蓄熱材を用いた第２の床材とを用いて床を形成している。第１の床材に用いられる潜熱蓄熱材は、熱源（電気式ヒータ）を用いて加熱され、相変化温度が３０〜４０℃である材料が選択されている。また、第２の床材に用いられる潜熱蓄熱材は、日射熱によって加熱され、相変化温度が１８〜２８℃である材料が選択されている。
【０００６】
特許文献２では、第１の床材は室内の床のうち日射光が照射されない区域に敷設され、第２の床材は室内の床のうち日射光が照射される区域に敷設されている。第２の床材には日射熱が照射されるから、第２の床材は日射熱を蓄熱し、この熱エネルギーが暖房に利用される。また、第１の床材は、日射がないときに、電気式ヒータに通電することにより、暖房に用いられる。
【先行技術文献】
【特許文献】
【０００７】
【特許文献１】特開２０１０−２２３５２２号公報
【特許文献２】特開２０１２−１４１１２０号公報
【発明の概要】
【発明が解決しようとする課題】
【０００８】
特許文献１、特許文献２に記載された技術は、いずれも床暖房を行うための構成であって、冬季にしか利用されていない。すなわち、特許文献１、特許文献２に記載された技術は、冬季の暖房への利用のみが考慮されており、夏季の冷房への利用については考慮されていない。
【０００９】
本発明は、通年で空間の温度変化を緩和し、結果的に、他の暖房装置および他の冷房装置で利用するエネルギーを低減させ、省エネルギーに寄与する冷暖房装置を提供することを目的とする。
【課題を解決するための手段】
【００１０】
本発明に係る冷暖房装置は、着目する空間を区切る床面と壁面との少なくとも一部になる主表面を備え、内部に蓄えた熱を前記主表面を通して前記空間に伝達する第１の蓄熱体および第２の蓄熱体と、前記第１の蓄熱体および前記第２の蓄熱体の内部に通気する空気の流路を切り替えるように制御する制御装置とを備え、前記第１の蓄熱体および前記第２の蓄熱体は、前記空間が使用される温度範囲において相変化が生じる潜熱蓄熱材を備え、かつ前記第１の蓄熱体に用いられる前記潜熱蓄熱材は、相変化温度が、前記第２の蓄熱体に用いられる前記潜熱蓄熱材よりも低い材料が選択され、前記第１の蓄熱体は冬季に日射が照射される領域に配置され、前記第２の蓄熱体は夏季に日射が照射されない領域に配置され、前記制御装置は、前記主表面から日射熱で前記第１の蓄熱体に蓄熱された温熱を日射を受けない時間帯に前記空間に放出させる状態と、前記空間外の空気を前記第２の蓄熱体に通気して蓄冷する流路を形成する状態と、前記第２の蓄熱体に蓄冷された冷熱を前記空間に放出させる状態とを切り替えることを特徴とする。
【００１１】
この冷暖房装置において、前記第１の蓄熱体に用いられる前記潜熱蓄熱材は、相変化温度が、冬季の夜間における前記空間の気温より高く、かつ冬季の日中において前記第１の蓄熱体の前記主平面が日射を受けている状態の最高温度より低い材料であって、前記第２の蓄熱体に用いられる前記潜熱蓄熱材は、相変化温度が、夏季の日中における前記空間の気温より低く、かつ夏季の夜間における外気温の最低温度より高い材料であることが好ましい。
【００１２】
この冷暖房装置において、前記第１の蓄熱体に用いられる前記潜熱蓄熱材は、相変化温度が、使用地域の冬季における月ごとの最高気温の平年値に関する代表値から求められた材料であり、前記第２の蓄熱体に用いられる前記潜熱蓄熱材は、相変化温度が、使用地域の夏季における月ごとの最低気温の平年値に関する代表値から求められた材料であることが好ましい。
【００１３】
この冷暖房装置において、前記第１の蓄熱体および前記第２の蓄熱体は、それぞれ内部に通気するための２個ずつの通気口を備え、前記制御装置は、前記第１の蓄熱体の一方の前記通気口に接続された第１のバルブと、前記第２の蓄熱体の一方の前記通気口に接続された第２のバルブと、前記第１の蓄熱体の他方の前記通気口と前記第２の蓄熱体の他方の前記通気口との間に接続された第３のバルブと、前記第１のバルブと前記第２のバルブと前記第３のバルブとに通気路を通して接続された通気ファンとを制御対象とし、前記第１のバルブと前記第２のバルブと前記第３のバルブとは３ポートを備え、前記第１のバルブは、前記第１の蓄熱体を前記通気路に接続する状態と、前記第１の蓄熱体の内部に通気された空気を排出する状態とを選択し、前記第２のバルブは、前記第２の蓄熱体を前記通気路に接続する状態と、前記第２の蓄熱体の内部に通気された空気を排出する状態とを選択し、前記第３のバルブは、前記第１の蓄熱体と前記第２の蓄熱体との間で通気させる状態と、前記第２の蓄熱体を前記通気路に接続する状態とを選択することが好ましい。
【００１４】
この冷暖房装置において、前記第１の蓄熱体および前記第２の蓄熱体は、外殻を形成する容器と、前記容器の中に詰め込まれる複数個の蓄熱エレメントとを備え、前記蓄熱エレメントは、互いに接触した状態で空気の流通する間隙が生じる形状に形成されたカプセルに前記潜熱蓄熱材が封入された構成であることが好ましい。
【００１５】
この冷暖房装置において、前記第１の蓄熱体と前記第２の蓄熱体との少なくとも一方を、強制的に加熱または冷却する補助熱源をさらに備え、前記制御装置は、冬季の日中において、前記第１の蓄熱体に用いている前記潜熱蓄熱材が相変化温度を超えない場合と、夏季の夜間において、前記第２の蓄熱体に用いている前記潜熱蓄熱材が相変化温度を下回らない場合との少なくとも一方において、前記補助熱源を動作させることが好ましい。
【００１６】
この冷暖房装置において、前記補助熱源は、前記第１の蓄熱体と前記第２の蓄熱体との少なくとも一方を加熱するヒータと、地中熱と熱交換した空気を前記第１の蓄熱体と前記第２の蓄熱体との少なくとも一方の内部に通気させるクールチューブとから選択されることが好ましい。
【００１７】
この冷暖房装置において、前記空間における人の存否および位置を検出する人センサをさらに備え、前記制御装置は、冬季には、前記人センサが検出した前記人の位置が、前記第１の蓄熱体よりも前記第２の蓄熱体に近い場合に、前記第１の蓄熱体と前記第２の蓄熱体との間の熱移動を行い、前記人センサが検出した前記人の位置が、前記第２の蓄熱体よりも前記第１の蓄熱体に近い場合に、前記第１の蓄熱体と前記第２の蓄熱体との間の熱移動を行わなわず、夏季には、前記人センサが検出した前記人の位置が、前記第２の蓄熱体よりも前記第１の蓄熱体に近い場合に、前記第１の蓄熱体と前記第２の蓄熱体との間の熱移動を行い、前記人センサが検出した前記人の位置が、前記第１の蓄熱体よりも前記第２の蓄熱体に近い場合に、前記第１の蓄熱体と前記第２の蓄熱体との間の熱移動を行わなわないように、前記第１の蓄熱体と前記第２の蓄熱体とに通気する空気の流路を切り替えることが好ましい。
【発明の効果】
【００１８】
本発明の構成によれば、第１の蓄熱体は日射熱を蓄熱するために用い、第２の蓄熱体は冷熱を蓄冷するために用いるから、通年で空間の温度変化が緩和される。その結果、他の暖房装置および他の冷房装置で利用するエネルギーを低減させ、省エネルギーに寄与するという利点がある。
【図面の簡単な説明】
【００１９】
【図１】実施形態１を示す概略構成図である。
【図２】同上に用いる蓄熱体の構成例を示す一部破断した斜視図である。
【図３】同上に用いる蓄熱エレメントの構成例を示す断面図である。
【図４】同上に用いる潜熱蓄熱材の温度特性を示す特性図である。
【図５】同上に用いる制御装置を示すブロック図である。
【図６】同上の動作説明図である。
【図７】実施形態２を示す概略構成図である。
【発明を実施するための形態】
【００２０】
（実施形態１）
本実施形態では、室内空間の冷暖房を行う冷暖房装置を例として説明する。以下に説明する実施形態の技術は、屋外空間と遮断された屋内空間に適用することが好ましいが、屋外空間と遮断されていない屋内空間、あるいは屋外空間であっても利用可能である。要するに、本実施形態において説明する技術は、閉鎖空間であるか開放空間であるかによらず使用可能である。
【００２１】
さらに、本実施形態では、冷暖房装置を構成する蓄熱体が、室内空間の床面の一部を形成するように配置されているが、蓄熱体は壁面を形成するように配置されていてもよい。また、一部の蓄熱体が床面を形成するように配置され、残りの蓄熱体が壁面を形成するように配置されていてもよい。要するに、蓄熱体は、蓄熱体の一面である主平面が室内空間に露出し、空間を区切っている床面と壁面との少なくとも一部を形成するように配置される。
【００２２】
冷暖房装置は、図１に示すように、第１の蓄熱体１と第２の蓄熱体２とを備える。第１の蓄熱体１および第２の蓄熱体２は、それぞれ図２に示すように、直方体状の外殻を形成する容器１１と、容器１１の中に詰め込まれる多数個の粒状ないし塊状の蓄熱エレメント１２と、容器１１に収納される断熱材１３とを備える。
【００２３】
また、容器１１の側面のうちの２面に結合箱１５が取り付けられる。後述するように、容器１１に収納された蓄熱エレメント１２には空気を接触させる必要がある。結合箱１５は、外部から容器１１に取り込んだ空気を容器１１の全体に行き渡らせ、また、容器１１から取り出された空気をまとめて外部に送り出すために設けられている。
【００２４】
図２に示す構成では、蓄熱エレメント１２と断熱材１３との間に補助熱源１４としてのヒータ１４１が配置されている。ヒータ１４１は、たとえばＰＴＣ（Positive Temperature Coefficient ）ヒータが用いられる。
【００２５】
容器１１は、上面と２つの側面とが開放され、かつ蓄熱エレメント１２と断熱材１３と補助熱源１４とが収納されたボディ１１１を備える。ボディ１１１の上面は平板状のカバー１１２により塞がれ、ボディ１１１のうち蓄熱エレメント１２が収納されている部位の２つの側面はそれぞれ側板１１３により塞がれる。
【００２６】
容器１１は、床材として扱えるように、全体では板状に形成される。カバー１１２の上面は床面２１の一部を形成する。そのため、カバー１１２の上面は床材料としての外観を備えるように、たとえば木目調に仕上げられる。なお、カバー１１２の上面を木目調に仕上げることは必須ではなく、畳表のような風合い、あるいはテラコッタのような風合いに仕上げることが可能である。
【００２７】
カバー１１２の上面の温度は蓄熱エレメント１２の温度に応じて上下する。以下では、カバー１１２の上面を主表面と呼ぶ。室内空間８に存在する物体の表面は、主表面との間で輻射による熱伝達を行い、主表面との相対的な温度の高低に応じて、温度が上昇または低下する。もちろん、主表面に接触している物体は、熱伝達によって温度が上昇または低下する。つまり、カバー１１２は熱を伝導するように材料および厚みが選択される。
【００２８】
側板１１３は多数個の通気孔１１４が形成され、通気孔１１４は側板１１３の全面にわたってほぼ均一に分布する。したがって、結合箱１５を通して２枚の側板１１３の間で空気を流通させると、容器１１に収納されている蓄熱エレメント１２の全体に空気を接触させることが可能になる。言い換えると、空気と蓄熱エレメント１２との間で熱交換が行われる。
【００２９】
蓄熱エレメント１２は、図３に示すように、カプセル１２１に潜熱蓄熱材１２２が封入された部材であって、カプセル１２１は、互いに接触した状態で、空気が流通する間隙が生じる形状に形成されている。カプセル１２１のもっとも単純な形状は球状であるが、空気の流通する間隙が生じる形状であれば、どのような形状でもよく、たとえば、多面体状であってもよい。
【００３０】
カプセル１２１のサイズは、均一である必要はなく、大小にばらつきがあるほうが、通気性の確保と体積当たりの高密度化との両立が可能になる。一般に、カプセル１２１のサイズが大きくなると、通気抵抗が小さくなるから、容器１１の内部温度を均一化させやすくなるが、体積当たりの密度が低下することにより蓄えることのできる熱量が低下する。一方、カプセル１２１のサイズが小さくなると、体積当たりの密度が高くなり蓄えることのできる熱量が増加するが、通気抵抗が大きくなるから、容器１１の内部温度のばらつきが大きくなる。
【００３１】
これに対し、カプセル１２１のサイズにばらつきがあると、大きい間隙にサイズの小さいカプセル１２１が入り込むから、体積当たりの密度が比較的大きくなり、かつサイズの小さいカプセル１２１のみを充填する場合に比べると通気抵抗が低下する。つまり、温度分布のばらつきが比較的小さくなり、しかも、蓄えることのできる熱量が比較的大きくなる。
【００３２】
潜熱蓄熱材１２２は、水、パラフィン、炭素数が比較的多い炭化水素などから選択される。これらの潜熱蓄熱材１２２は、室温程度の温度範囲（おおむね、０〜４０℃）で、相変化（主として固相と液相との間の相変化）が生じる物質である。相変化温度範囲を考慮し、炭化水素は、脂肪族炭化水素であれば、炭素数が１５〜２０程度の物質が用いられる。
【００３３】
潜熱蓄熱材１２２は、相変化が生じる際の潜熱による蓄熱あるいは蓄冷を行うから、比較的大きい熱エネルギーの蓄積と放出とが可能である。しかも、潜熱蓄熱材１２２は、図４に示すように、相変化温度付近ではほぼ一定温度に保ったままで熱エネルギーの蓄積および放出を行う。ここに、蓄熱は加熱による熱（温熱）を蓄えることを意味し、蓄冷は冷却による熱（冷熱）を蓄えることを意味する。ただし、とくに区別の必要がない場合には、蓄熱の用語を用いる。
【００３４】
図４において、縦軸は潜熱蓄熱材１２２の温度であり、横軸は熱エネルギーを示している。なお、本実施形態で用いる潜熱蓄熱材１２２は、固相と液相との間の相変化を利用することにより、体積の増加を抑制している。したがって、相変化温度は、融点あるいは凝固点に相当する。
【００３５】
上述したように、第１の蓄熱体１および第２の蓄熱体２は、主表面が室内の床面２１を形成するように配置され、主表面を通して室内空間８との間で熱の伝達を行う。そのため、第１の蓄熱体１および第２の蓄熱体１に用いられる潜熱蓄熱材１２２は、室内空間８の年間の温度範囲において相変化が生じる材料が用いられる。
【００３６】
また、図示例では、第１の蓄熱体１は床面２１のうち冬季に窓２２からの日射を受ける領域に配置され、第２の蓄熱体２は床面２１のうち夏季に窓２２からの日射を受けない領域に配置される。なお、窓２２を通して日射を受ける領域、日射を受けない領域は、それぞれ相対的な意味で用いており、前者は窓２２からの日射を受けやすい領域、後者は窓２２からの日射を受けにくい領域を意味する。このような配置を採用する場合、第１の蓄熱体１に用いられる潜熱蓄熱材１２２として用いる材料は、相変化温度が第２の蓄熱体２に用いられる潜熱蓄熱材１２２よりも低い材料が選択される。
【００３７】
また、夏季および冬季に相当する期間は、太陽高度に応じて天文学的に決定され、月日に基づいて定められる。ただし、夏季および冬季は、本実施形態で説明する冷暖房装置を使用する地域によって異なっており、夏季は冷房を必要とする冷房期間に相当し、冬季は暖房を必要とする暖房期間に相当する。
【００３８】
第１の蓄熱体１と第２の蓄熱体２の結合箱１５には、容器１１の内部に流通させる空気の出し入れを行うために、通気口３１〜３４が設けられる。つまり、第１の蓄熱体１は内部に通気するため２個の通気口３１，３２を備え、第２の蓄熱体２は、内部に通気するための２個の通気口３３，３４を備える。図１に示す構成例では、第１の蓄熱体１に設けられた一方の通気口３１にバルブ４１が接続され、第２の蓄熱体２に設けられた一方の通気口３４にバルブ４３が接続されている。また、第１の蓄熱体１に設けられた他方の通気口３２と第２の蓄熱体２とに設けられた他方の通気口３３との間にはバルブ４２が接続されている。
【００３９】
これらのバルブ４１〜４３は、いずれも３ポートの電動バルブであって、それぞれのバルブ４１〜４３の１つのポートは通気路３５を通して通気ファン５に接続される。通気ファン５は、床下７から空気を取り込むように配置される。また、バルブ４１，４３の残りのポートは外気に開放されている。通気路３５は、たとえば断熱材で包まれた管路が用いられる。
【００４０】
バルブ４２は、第１の蓄熱体１と第２の蓄熱体２との間で空気を流通させる状態と、通気ファン５が取り込んだ外気を第２の蓄熱体２に通気する状態とを選択する。第１の蓄熱体１と第２の蓄熱体２との間で空気を流通させると、第１の蓄熱体１と第２の蓄熱体２との間で熱の移動が可能になる。また、第２の蓄熱体２に外気を通気すると、外気の熱が第２の蓄熱体２に蓄熱される。
【００４１】
バルブ４１は、通気ファン５により送られた空気を第１の蓄熱体１の内部に導入する状態と、第１の蓄熱体１の内部に通気された空気を排出する状態とを選択する。第２の蓄熱体２に接続されたバルブ４３は、通気ファン５から送風された空気を第２の蓄熱体２の内部に導入する状態と、第２の蓄熱体２の内部に通気された空気を排出する状態とを選択する。要するに、バルブ４１〜４３は、第１の蓄熱体１の内部および第２の蓄熱体の内部に通気する空気の経路を切り替える。なお、第１の蓄熱体１および第２の蓄熱体２に通気された空気は、床下７に排出せずに戸外に排出するように管路で誘導することが望ましい。
【００４２】
バルブ４１〜４３と通気ファン５との制御は制御装置６が行う。制御装置６は、温度センサ５１が計測した第１の蓄熱体１の主表面の温度と、温度センサ５２が計測した第２の蓄熱体２の主表面の温度と、気温センサ５３が計測した外気温とを入力情報に用いて制御を行う。外気温を計測する気温センサ５３は、通気ファン５に導入する空気を床下７に取り込む部位の近傍に配置されることが望ましい。また、床下７に空気を導入する導入口は開閉可能にしてもよい。
【００４３】
図示する制御装置６は、気温センサ５４が計測した室温、温度センサ５５が計測した第１の蓄熱体１における潜熱蓄熱材１２２の温度、温度センサ５６が計測した第２の蓄熱体１における潜熱蓄熱材１２２の温度から選択された情報も制御のために用いる。さらに、本実施形態では、制御装置６は、人センサ５７が検出した室内における人の存否の情報も制御のために用いる。
【００４４】
第１の蓄熱体１、第２の蓄熱体２、通気路３５、バルブ４１〜４３、通気ファン５、制御装置６は、一体に構成することが可能であって、これらの部材を一体化しておけば、床の施工や保守を容易に行うことができる。
【００４５】
制御装置６は、図５に示すように、上述した種々のセンサ（５１〜５７）を接続するためのインターフェイス部（以下、「Ｉ／Ｆ部」と略称する）６１と、Ｉ／Ｆ部６１に接続されたセンサ（５１〜５７）から情報を取得する取得部６２とを備える。取得部６２が取得した情報は、処理部６０に与えられる。取得部６２が取得した情報が処理部６０に設定された条件を満たしていると、処理部６０は、当該条件に応じた動作になるように、バルブ４１〜４３と通気ファン５とを制御する。制御装置６は、バルブ４１〜４３と通気ファン５とを接続するＩ／Ｆ部６３を備える。
【００４６】
以下、制御装置６における条件と制御との関係を具体的に説明する。制御装置６が動作する期間は、室内空間８において冷房あるいは暖房が必要な期間であり、以下では冷房が必要な期間を夏季、暖房が必要な期間を冬季と呼ぶ。ここでは、第１の蓄熱体１に用いる潜熱蓄熱材１２２において相変化温度を２０℃と仮定し、第２の蓄熱体２に用いる潜熱蓄熱材１２２において相変化温度を２５℃と仮定して説明する。
【００４７】
夏季には、夜間において２５℃以上である熱帯夜もあるが、２５℃を下回る日もある。一方、第２の蓄熱体２における潜熱蓄熱材１２２は、相変化温度が２５℃であるから、潜熱蓄熱材１２２の温度が２５℃を下回っていれば固相になる。
【００４８】
制御装置６の処理部６０は、気温センサ５３が計測した外気温と、温度センサ５６が計測した第２の蓄熱体２における潜熱蓄熱材１２２の温度とを比較し、外気温のほうが低いという条件が成立すれば、外気を第２の蓄熱体２に流通させる。つまり、処理部６０は、通気ファン５を動作させる。このとき、外気温が２０℃以上かつ２５℃未満であれば、３ポートバルブ４１を通気ファン５と第２の蓄熱体２との間に流路が形成される状態にし、バルブ４３を開いた状態にして第２の蓄熱体２からの排気を可能にする。
【００４９】
なお、第２の蓄熱体２における潜熱蓄熱材１２２の温度よりも外気温のほうが低い場合には、外気温は第１の蓄熱体１における潜熱蓄熱材１２２の温度よりも低いと考えられるから、第２の蓄熱体２と同様に、第１の蓄熱体１にも外気を流通させることが望ましい。ただし、外気温が２０〜２５℃の範囲では、第２の蓄熱体２は外気との接触によって潜熱蓄熱材１２２が固化するが、第１の蓄熱体１は外気と接触しても潜熱蓄熱材１２２は液体のままであるから、第１の蓄熱体１では潜熱は利用できない。
【００５０】
夏季において日射が生じている時間帯（朝、昼、夕方）には、床面２１のうち第１の蓄熱体１の近辺の領域が、窓２２から入射する日射熱を吸収する。つまり、日射熱により、床の温度が上昇し、第１の蓄熱体１の温度も上昇する。第１の蓄熱体１の温度が上昇すると、室温が低下する夜間になっても、第１の蓄熱体１の温度が低下せず、結果的に室温が低下しない可能性が生じる。
【００５１】
そこで、夜間に第２の蓄熱体２に蓄えた冷熱（周囲温度よりも低い温度の熱の意味で用いている）を第１の蓄熱体１に移動させることによって、第１の蓄熱体１の温度を低下させる。ここに、制御装置６は、第２の蓄熱体２における潜熱蓄熱材１２２の温度が相変化温度よりも低いことを確認することが必要である。第２の蓄熱体２における潜熱蓄熱材１２２の温度が相変化温度よりも低ければ、制御装置６は、第１の蓄熱体１と第２の蓄熱体２との間で空気が流通するようにバルブ４２を制御する。また、制御装置６は、通気ファン５からの空気を第２の蓄熱体２に流通させるようにバルブ４３を制御し、第１の蓄熱体１を外気に開放するようにバルブ４１を制御する。
【００５２】
この状態において、床下７の空気は通気ファン５により第２の蓄熱体２に流入し、第２の蓄熱体２の熱が第１の蓄熱体１に運ばれる。第２の蓄熱体２における潜熱蓄熱材１２２の温度は、相変化温度よりも低いから、第２の蓄熱体２は、床下７の空気が流入しても比較的長い時間にわたって２５℃に保たれる。つまり、第１の蓄熱体１には２５℃の空気が流入し、第１の蓄熱体１が冷却されることになる。その結果、第１の蓄熱体１および第２の蓄熱体２の温度が均一化され、室内空間８の全体で冷熱輻射を利用できるようになる。
【００５３】
なお、第２の蓄熱体２から第１の蓄熱体１に熱を移動させる際に、第１の蓄熱体１の温度に応じて空気を流通させる量を変化させることが望ましい。とくに、夏季の日中であっても雨天や曇天で日射が生じない日もあり、第１の蓄熱体１の温度は天候によって大幅に変化することが考えられる。したがって、制御装置６は、第１の蓄熱体１における潜熱蓄熱材１２２の温度に応じて、バルブ４１〜４３の開量を調節し、空気の流通量を調節することが望ましい。
【００５４】
次に冬季の使用例について説明する。冬季においても日射が生じている時間帯（朝方、昼間、夕方）には、床面２１のうち第１の蓄熱体１の近辺の領域が日射熱を吸収する。以下では、日射が生じている時間帯を日中という。冬季には日中の日射熱により、第１の蓄熱体１の温度が上昇する。一方、第２の蓄熱体２は、日射をほとんど受けない。もっとも、第２の蓄熱体２は、太陽の高度が高い夏季には日射を受けず、太陽の高度が低い冬季には日射を受ける場所に設置することは可能であるから、第１の蓄熱体１と第２の蓄熱体２との配置によっては、冬季において両者の温度差を比較的小さくすることが可能である。
【００５５】
冬季の日中においては、第１の蓄熱体１および第２の蓄熱体２は、日射熱や室内からの熱を蓄積する。そのため、第１の蓄熱体１および第２の蓄熱体２に空気を流通させる必要がないから、制御装置６は、バルブ４１〜４３を閉じ、通気ファン５を停止させる。
【００５６】
いま、夕方において、第１の蓄熱体１における潜熱蓄熱材１２２の温度が２２℃であって、第２の蓄熱体２における潜熱蓄熱材１２２の温度が１８℃である場合を想定する。このとき、第１の蓄熱体１における潜熱蓄熱材１２２は液体、第２の蓄熱体２における潜熱蓄材１２２は固体である。
【００５７】
冬季において日射が得られない夜間には、日中に第１の蓄熱体１および第２の蓄熱体２に蓄えられた熱が放出される。ただし、第２の蓄熱体２に蓄えられた熱は、第１の蓄熱体１に蓄えられた熱よりも少ないから、第２の蓄熱体２の近辺は、第１の蓄熱体１の近辺よりも熱の輻射が少ない。
【００５８】
そこで、制御装置６は、第１の蓄熱体１における潜熱蓄熱材１２２の温度を評価し、相変化温度（ここでは、２０℃）以上であれば、第１の蓄熱体１から第２の蓄熱体２への熱の移動を開始するように、バルブ４１〜４３および通気ファン５の制御を行う。
【００５９】
具体的には、制御装置６は、通気ファン５から第１の蓄熱体１に空気が送られるようにバルブ４１を制御し、第１の蓄熱体１と第２の蓄熱体２との間で空気が流通するようにバルブ４２を制御する。また、バルブ４３は、第２の蓄熱体２を通過した空気を戸外に排出するように制御される。
【００６０】
この状態において、第１の蓄熱体１の潜熱蓄熱材１２２の温度は相変化温度よりも高いから、第１の蓄熱体１は、床下７からの空気が流入しても比較的長い時間にわたって２０℃に保たれる。つまり、第２の蓄熱体２には２０℃の空気が流入し、第２の蓄熱体２が加熱されることになる。その結果、第１の蓄熱体１と第２の蓄熱体２との温度が均一化され、室内空間８の全体で温熱輻射を利用できるようになる。
【００６１】
図６に上述した動作例をまとめて示す。夏季の夜間には、図６（ａ）のように、第１の蓄熱体１に通気されず、第２の蓄熱体２に外気が通気され、第２の蓄熱体２に設けられた潜熱蓄熱材１２２が固相になるように蓄冷される。夏季の日中には、図６（ｂ）のように、夜間において第２の蓄熱体２に蓄冷された冷熱を第１の蓄熱体１に移動させるように、第２の蓄熱体２から第１の蓄熱体１に向かって通気される。
【００６２】
一方、冬季の日中には、図６（ｃ）のように、第１の蓄熱体１と第２の蓄熱体２とのいずれにも通気されず、第１の蓄熱体１が日射熱を吸熱することによって、第１の蓄熱体１に設けられた潜熱蓄熱材１２２が液相になるように蓄熱される。冬季の夜間には、図６（ｄ）のように、日中において第１の蓄熱体１に蓄熱された温熱を第２の蓄熱体２に移動させるように、第１の蓄熱体１から第２の蓄熱体２に向かって通気される。
【００６３】
なお、夏季の夜間に第１の蓄熱体１と第２の蓄熱体２とにともに蓄冷するように、図６（ａ）の経路に加えて第１の蓄熱体１にも通気するか、あるいは、夏季の日中と同じ経路で通気してもよい。また、冬季の日中に第２の蓄熱体２にも蓄熱するために、冬季の夜間と同様の経路で通気してもよい。
【００６４】
ここに、夏季の日中および冬季の夜間において、外気を取り入れて通気すると、第１の蓄熱体１および第２の蓄熱体２が外気と熱交換することによって、蓄冷あるいは蓄熱の効果が短時間で失われる可能性がある。そのため、夏季の日中および冬季の夜間には、第１の蓄熱体１と第２の蓄熱体２との間で、通気ファン５を通して空気が循環する経路を形成することが望ましい。また、バルブ４１〜４３の開量の調節、あるいは通気ファン５の流量の調節が可能であれば、これらの調節を行うことによって、第１の蓄熱体１および第２の蓄熱体２における熱の移動量を調節することも可能である。
【００６５】
上述したように、夏季においては夜間に蓄冷した冷熱を昼間に利用し、冬季においては昼間の日射で蓄熱した温熱を夜間に利用することが可能になるから、夏季における冷房費および冬季における暖房費の低減に寄与する。夏季において熱帯夜のように夜間に蓄冷することができない場合、および冬季において日射が得られずに蓄熱することができない場合もあるが、通年で言えば、冷暖房に必要なエネルギーの低減が期待できる。
【００６６】
上述した構成例では、第１の蓄熱体１に用いる潜熱蓄熱材１２２に相変化温度を２０℃とし、第２の蓄熱体２に用いる潜熱蓄熱材１２２に相変化温度を２５℃として説明した。これらの温度は一例であって、潜熱蓄熱材１２２に相変化温度は、実際には使用地域および住宅の性能に基づいて決定される。
【００６７】
第１の蓄熱体１は主として冬季の日中に蓄熱するから、第１の蓄熱体１における潜熱蓄熱材１２２は冬季における第１の蓄熱体１の日中の温度に基づいて選定される。第１の蓄熱体１の日中の温度は、外気温および住宅の断熱性能が関与する。ただし、住宅の断熱性能は、床の施工前には計測できないから、使用地域に応じた平均的な性能で代用する。また、第２の蓄熱体２は主として夏季に蓄冷するから、第２の蓄熱体２における潜熱蓄熱材１２２は夏季の外気温に基づいて選定される。
【００６８】
第１の蓄熱体１に用いる潜熱蓄熱材１２２に相変化温度は、冬季の日中において第１の蓄熱体１の主平面が日射を受けている状態の最高温度より低く、かつ冬季の夜間における室温よりも高く設定することが必要である。ここに、室温は、第１の蓄熱体１を設けていない場合の温度である。そのため、使用地域における冬季の日中の外気温と、床への日射量と、住宅の平均的な断熱性能とをパラメータとして、コンピュータを用いた熱エネルギーシミュレーションにより日中の床の温度が求められる。第１の蓄熱体１に用いる潜熱蓄熱材１２２は、相変化温度が、熱エネルギーシミュレーションにより求められた日中の床の温度よりも１〜２℃程度低い材料が選択される。
【００６９】
なお、日中の床の温度だけではなく夜間の床の温度も合わせて求めてもよい。熱エネルギーシミュレーションによって求められる夜間の床の温度は、一般的には、日射熱を受ける日中の床の温度よりも１０℃以上低いと考えられるから、材料の選択の際に考慮しなくてもよい。ただし、夜間の床の温度を考慮することによって、第１の蓄熱体１の温度が下がりすぎないように、潜熱蓄熱材１２２を選定することができる。
【００７０】
第２の蓄熱体１に用いる潜熱蓄熱材１２２に相変化温度は、夏季の夜間における外気温よりも高く、かつ夏季の日中における床の温度よりも低く設定することが必要である。床の温度は、床面２１のうち第１の蓄熱体１が配置される領域に関して、第１の蓄熱体１を設けていない場合の温度である。床の温度は、第１の蓄熱体１に用いる潜熱蓄熱材１２２を選択する場合と同様に、使用地域における夏季の日中の最高気温と、床への日射量と、住宅の平均的な断熱性能とをパラメータとして、コンピュータを用いた熱エネルギーシミュレーションにより求められる。第２の蓄熱体２に用いる潜熱蓄熱材１２２は、相変化温度が、夏季の夜間の外気温よりも１〜２℃程度高い材料が選択される。
【００７１】
第１の蓄熱体１に用いる潜熱蓄熱材１２２を選定するためにの外気温は、冬季の日中における外気温の代表値を用い、第２の蓄熱体２に用いる潜熱蓄熱材１２２を選定するための外気温は、夏季の夜間における外気温の代表値を用いる。外気温の代表値は、冬季にあっては、平均値、最頻値、中央値、平年の最大値から選択すればよく、夏季にあっては、平均値、最頻値、中央値、平年の最小値から選択すればよい。なお、どの代表値を用いるかに応じて、潜熱蓄熱材１２２に相変化温度と代表値との関係は異なる。
【００７２】
また、冬季および夏季の期間は、適宜に設定することが可能であって、たとえば冬季は１１月から翌年２月までの期間、夏季は６月から９月までの期間などに設定可能である。ただし、日射が得られる日中の時間帯は、使用地域によって異なるから、冬季および夏季の期間は使用地域に応じて変更すればよい。
【００７３】
一例として、使用地域が大阪であって、冬季には平年の最大値（最高気温）を基準に用い、夏季には平年の最小値（最低気温）を用いる場合について例示する。現在使用されている平年値は１９８１年から２０１０年までの３０年間の値であり、気象庁の統計データによれば、大阪の平年値は、表１のようになる。ここで、冬季が１１月、１２月、１月、２月の４ヶ月間であり、夏季が６月、７月、８月、９月の４ヶ月間であるとすれば、冬季の最高気温は１７．６℃、夏季の最低気温は２５．４℃になる。
【００７４】
【表１】
2014194327.tif 000003
【００７５】
冬季における床の温度は外気温だけでは定まらないが、外気温の最高気温が平年値で１７．６℃であるから、第１の蓄熱体１に用いる潜熱蓄熱材１２２は、床の温度を考慮して２０℃程度以下に設定すれば、冬季の期間に日中の日射熱が利用可能になる。また、夏季における外気温の最低気温が平年値で２５．４℃であるから、第２の蓄熱体２に用いる潜熱蓄熱材１２２は、２５℃程度以上に設定すれば、夏季の期間に夜間の冷熱が利用可能になる。
【００７６】
なお、第１の蓄熱体１の温熱、および第２の蓄熱体２の冷熱は、夏季あるいは冬季のすべての日で利用できるとは限らないが、多くの日で利用可能であり、通年において室温の変動を抑制し、結果的に冷暖房に要するエネルギーの低減につながる。
【００７７】
上述した構成において、第１の蓄熱体１は、床面２１のうち冬季に日射を受ける領域に配置され、第２の蓄熱体２は、床面２１のうち夏季に日射を受けない領域に配置されている。第１の蓄熱体１および第２の蓄熱体２を床面２１に配置する際の位置は、実測により求めるか、計算で求めるか、コンピュータシミュレーションにより求めるかのいずれかの方法で決定される。
【００７８】
第１の蓄熱体１および第２の蓄熱体２を配置する位置を実測により求めるには、冬季と夏季との床の温度を実測する必要がある。そのため、冬季に日射を受ける場所と夏季に日射を受けない場所とに、温度センサをそれぞれ配置し、温度センサにより床の温度を計測する。温度の計測は、冬季と夏季とにおいて、それぞれ３〜４ヶ月程度行うことが望ましい。このような実測を行うことにより、床面２１の温度分布が簡便に計測され、第１の蓄熱体１と第２の蓄熱体２とを配置すべき位置を決定することが可能になる。
【００７９】
第１の蓄熱体１および第２の蓄熱体２を配置する位置を計算により求めるには、建物の設計情報を建築図面から読み取り、窓２２の寸法および位置と、庇の寸法および位置と、夏季および冬季の太陽の高度とを用いて、幾何学的な計算を行う。床面２１において日射を受ける領域は、夏季と冬季とでは異なり、また太陽の高度は１日の時間帯によっても変化するから、第１の蓄熱体１および第２の蓄熱体２を配置する位置を決定するには、数通りの計算が必要になる。
【００８０】
第１の蓄熱体１および第２の蓄熱体２を配置する位置をコンピュータシミュレーションにより求めるには、計算で求める場合と同様の値を用いる。ただし、コンピュータシミュレーションを行う場合には、床面２１が日射を受ける領域を、時間経過や季節の相違も考慮して定めることが可能である。
【００８１】
第１の蓄熱体１および第２の蓄熱体２を配置する位置を定める方法として、実測による方法は長時間を要するから、あらかじめ類似した建物について実測した情報を適用することが望ましい。また、コンピュータシミュレーションによる方法は、第１の蓄熱体１および第２の蓄熱体２の位置をもっとも的確に定めることができる。しかしながら、シミュレーションを行うプログラムは高価であるから、多くの現場で使用するにはクラウドコンピューティングシステムなどによりプログラムを提供する必要がある。計算による方法は、作業手順を決めておけば、手作業で計算機を用いて位置を決めることができる。
【００８２】
なお、使用地域に応じて第１の蓄熱体１と第２の蓄熱体２との熱容量は異なっていてもよい。たとえば、寒冷地では第１の蓄熱体１の熱容量を第２の蓄熱体２の熱容量よりも大きくし、温暖地では第２の蓄熱体２の熱容量を第１の蓄熱体１の熱容量よりも大きくすることが望ましい。
【００８３】
（実施形態２）
実施形態１において説明した構成例は、夏季において夜間に気温が下がらなければ、第２の蓄熱体２の潜熱蓄熱体２１に相変化が生じないから、潜熱による蓄冷が行えない。また、冬季において曇天や雨天の場合、日中に床の温度が上昇しない。そのため、第１の蓄熱体１の潜熱蓄熱材１２２に相変化が生じなければ、潜熱による蓄熱が行えない。
【００８４】
実施形態１では、冬季において第１の蓄熱体１および第２の蓄熱体２の蓄熱量が不足する場合に備えて、第１の蓄熱体２および第２の蓄熱体２が補助熱源１４を備えている。補助熱源１４を備えることは必須ではないが、冬季において第１の蓄熱体１および第２の蓄熱体２に蓄えられる熱量が不足する場合に、補助熱源１４を用いて蓄熱することが可能になっている。
【００８５】
補助熱源１４を設けたことによって、冬季における蓄熱量の不足は解消されるが、夏季において蓄冷不足が生じた場合の対応はできない。本実施形態は、地中熱を利用することにより、夏季における蓄冷不足を解消する。一般に、５ｍ程度の地中の温度は通年で１０〜１５℃と安定しているから、いわゆるクールチューブを用いて地中熱を取り出すことにより、第２の蓄熱体２への蓄冷を行うようにしてもよい。
【００８６】
図７に示す構成例は、一端が戸外に開放されたクールチューブ３６を用いている。クールチューブ３６の他端は、通気ファン５に結合されたバルブ４４に接続される。クールチューブ３６の中間部は、地中９に埋め込まれている。バルブ４４は、３ポートの電動バルブであって、通気ファン５が床下７から空気を取り込む状態と、通気ファン５がクールチューブ３６から空気を取り込む状態とを選択する。バルブ４４の状態は、制御装置６が選択する。
【００８７】
クールチューブ３６は、５ｍ程度の深さに埋め込むことが望ましいが、５ｍの深さにクールチューブ３６を埋め込むと設置費用が高くなるから、１〜２ｍ程度の深さでもよい。また、クールチューブ３６は地中９で熱交換を行う必要があるから、蛇行状などに形成しておくことが望ましい。
【００８８】
この構成では、夏季において、夜間の外気温が、第２の蓄熱体２に用いた潜熱蓄熱材１２２に相変化温度よりも高い場合には、クールチューブ３６を通った空気を通気ファン５に導入し、第２の蓄熱体２に蓄冷させる。クールチューブ３６を通った空気を通気ファン５に導入する場合、クールチューブ３６を通さない場合より通気抵抗が増加するから、上述したように、外気温が低下しない場合にのみクールチューブ３６を通した空気を導入することが望ましい。他の構成および動作は実施形態１と同様であるから説明を省略する。
【００８９】
ところで、実施形態１および実施形態２において、人センサ５７の利用について言及しなかったが、制御装置６は人センサ５７が検出した人の位置を利用してバルブ４１〜４３を制御することが望ましい。人センサ５７は、第１の蓄熱体１の近辺の人の存否と、第２の蓄熱体２の近辺の人の存否とを検出するように構成されている。
【００９０】
制御装置６は、冬季の夜間に、第２の蓄熱体２の近辺に人が不在であることを人センサ５７が検出している状態では、通気ファン５を駆動させず、第１の蓄熱体１の近辺に存在する人のみに、第１の蓄熱体１の温熱を利用させる。また、制御装置６は、夏季の日中に、第１の蓄熱体１に近い領域に人が不在であることを人センサ５７が検出している状態では、通気ファン５を駆動させず、第２の蓄熱体２に近い領域に存在する人のみに、第２の蓄熱体２の冷熱を利用させる。
【００９１】
上述したように、制御装置６は、人センサ５７の出力に応じて、第１の蓄熱体１と第２の蓄熱体２との間で熱を移動させない状態が選択可能になっている。第１の蓄熱体１と第２の蓄熱体２との間で熱を移動させない状態が選択されている場合には、人が存在している領域において温熱または冷熱を長時間にわたって利用することが可能になる。
【００９２】
なお、制御装置６は、冬季の夜間において第１の蓄熱１よりも第２の蓄熱体２に近い領域に人が存在する場合には、通気ファン５を動作させ、第１の蓄熱体１と第２の蓄熱体２との間で熱を移動させる。あるいは、夏季の日中において第２の蓄熱体２よりも第１の蓄熱体１に近い領域に人が存在する場合には、通気ファン５を動作させ、第１の蓄熱体１と第２の蓄熱体２との間で熱を移動させる。これらの動作は実施形態１において説明した動作である。
【００９３】
要するに、人センサ５７が検出した人の位置に応じて、第１の蓄熱体１と第２の蓄熱体２との間で熱移動を行か否かが選択される。第１の蓄熱体１と第２の蓄熱体２との間で熱移動を行うのは、冬季であれば、人の位置が、第１の蓄熱体１よりも第２の蓄熱体２に近い場合であり、夏季であれば、人の位置が、第２の蓄熱体２よりも第１の蓄熱体１に近い場合である。第１の蓄熱体１と第２の蓄熱体２との間の熱移動を行わないのは、冬季であれば、人の位置が、第２の蓄熱体２よりも第１の蓄熱体１に近い場合、夏季であれば、人の位置が、第１の蓄熱体１よりも第２の蓄熱体２に近い場合である。
【符号の説明】
【００９４】
１  第１の蓄熱体
２  第２の蓄熱体
５  通気ファン
６  制御装置
１１  容器
１２  蓄熱エレメント
１４  補助熱源
３１〜３４  通気口
３６  クールチューブ
４１  （第１の）バルブ
４２  （第３の）バルブ
４３  （第２の）バルブ
５７  人センサ
１２１  カプセル
１２２  潜熱蓄熱材
１４１  ヒータ
【図１】
2014194327.tif 000004
【図２】
2014194327.tif 000005
【図３】
2014194327.tif 000006
【図４】
2014194327.tif 000007
【図５】
2014194327.tif 000008
【図６】
2014194327.tif 000009
【図７】
2014194327.tif 000010